(57)【要約】【課題】車椅子利用者が車椅子から立ち上がっても、車椅子後輪の回転が止められて、車椅子を移動しないようにすることができる車椅子後輪回転止装置を提供することを課題とする。【解決手段】中心軸１を中心にして前方に回動して、後輪１１０のスポーク７又はリム６に設けられた係止部に先端部を係止されるフック２と、同フック２を常時付勢して後輪の係止部に係止状態を保持するバネ部材３と、前記フック２を後方に回動するケーブル５とよりなる後輪回転停止装置本体部Ａ１２０と、バネ付勢に抗して押圧されて下方移動する座板８と、同座板８の移動によって、後方に駆動される前記ケーブル５とよりなる後輪回転停止装置駆動部Ｂ１３０とより構成したことを特徴とする後輪回転停止装置。【選択図】図２
2012034764.tif 000002
【特許請求の範囲】
【請求項１】
中心軸を中心にして前方に回動して、後輪のスポーク又はリムに設けられた係止部に先端部を係止されるフックと、同フックを常時付勢して後輪の係止部に係止状態を保持するバネ部材と、前記フックを後方に回動するケーブルとよりなる後輪回転停止装置本体部と、バネ付勢に抗して押圧されて下方移動する座板と、同座板の移動によって、後方に駆動される前記ケーブルとよりなる後輪回転停止装置駆動部とより構成したことを特徴とする車椅子後輪回転停止装置。
【請求項２】
前方にスライドして、後輪のスポーク又はリムに設けられた係止部に先端部を係止されるスライドフック又はスライドピンと、同スライドフック又はスライドピンを常時付勢して後輪の係止部に係止状態を保持するバネ部材と、前記スライドフック又はスライドピンを後方にスライドするケーブルとよりなる後輪回転停止装置本体部と、バネ付勢に抗して押圧されて下方移動する座板と、同座板の移動によって、後方に駆動される前記ケーブルとよりなる後輪回転停止装置駆動部とより構成したことを特徴とする請求項１の車椅子後輪回転停止装置。
【発明の詳細な説明】
【技術分野】
【０００１】
本発明は、車椅子後輪回転停止装置に関するものである。
【背景技術】
【０００２】
従来の自走式車椅子（例えば特許文献１、２参照）は利用者が車椅子停止装置を掛けずに、又は掛け忘れたまま、車椅子から立ち上がることがあると、バランスを崩すことがある。このとき、車椅子に頼ろうと車椅子をつかむと、車椅子が動き、利用者が転倒してしまう危険があった。
【先行技術文献】
【特許文献】
【０００３】
【特許文献１】特願２００９−２８１６６０
【０００４】
【特許文献２】特願２０１０−１６１１６５
【発明の開示】
【発明が解決しようとする課題】
【０００５】
車椅子利用者が車椅子から立ち上がっても、車椅子後輪の回転が止められて、車椅子を移動しないようにすることができる車椅子後輪回転停止装置を提供することを課題とする。
【課題を解決するための手段】
【０００６】
本発明が上記課題を解決するために提供する車椅子後輪回転停止装置は、中心軸１を中心にして前方に回動して、後輪１１０のスポーク７又はリム６に設けられた係止部に先端部を係止されるフック２と、同フック２を常時付勢して後輪の係止部に係止状態を保持するバネ部材３と、前記フック２を後方に回動するケーブル５とよりなる後輪回転停止装置本体部Ａ１２０と、バネ付勢に抗して押圧されて下方移動する座板８と、同座板８の移動によって、後方に駆動される前記ケーブル５とよりなる後輪回転停止装置駆動部Ｂ１３０とより構成したことを特徴とする。
【発明の効果】
【０００７】
車椅子利用者が車椅子につかまろうとした時、車椅子が逃げないので、バランスを崩して転倒する事故がなくなる。
【発明を実施するための最良の形態】
【０００８】
実施例１を図１、図２及び図３により説明する。
【０００９】
実施例１の車椅子後輪回転停止装置は後輪回転停止装置本体部Ａ１２０と後輪回転停止装置駆動部Ｂ１３０とより構成されている。
【００１０】
図１は後輪回転停止装置の全体構成図であり、図２はその要部断面拡大図である。
【００１１】
図２により構成を説明する
【００１２】
後輪回転停止装置本体部Ａ１２０は、中心軸１を中心に前方に回動して、後輪１１０のスポーク７とスポーク７の間に係止される前側先端部２ａとケーブル５との連結部である後側先端部２ｂを持つフック２と前記中心軸１と、前記フック２を常時付勢して前記スポーク７とスポーク７の間に係止状態を保持するバネ部材３と、前記フック２の後側先端部２ｂに取付られた中心軸４と、前記フック２または前記中心軸４に取付けられ、これを後方に回動して、前記スポーク７とスポーク７の間に係止されている前側先端部２ａの係止を解除するケーブル５とより構成されている。
【００１３】
後輪回転停止装置駆動部Ｂ１３０は、車椅子の座シートとヒンジで連結し、体重の押圧を受ける座板８と、常時付勢して座板８を上方に持ち上げる姿勢を保持するバネ部材９と、前記座板８によって上下に駆動される軸１０と、同軸１０の先端に取り付けられている連結ブロック１１と、同連結ブロック１１に連結する前記ケーブル５のエンドブロック５ａとより構成されている。  
【００１４】
図３は車椅子利用者の体重の押圧による動作（後輪回転停止解除）の図である。
【００１５】
図３の後輪回転停止装置駆動部Ｂ１３０おいて、車椅子利用者の体重の押圧により、座板８、バネ部材９及び軸１０は押し下げられ、同軸１０先に固定されてある連結ブロック１１よって、前記ケーブル先端のエンドブロック５ａは下方に押し下げられる。
【００１６】
図３の前記エンドブロック５ａが押し下げられると、後輪回転停止装置本体部Ａ１２０のケーブル５は後方に駆動され、同ケーブル５と中心軸４により連結しているフック２は中心軸１を中心に後方に回動し、スポーク７とスポーク７の間に係止されている前側先端部２ａの係止を解除する。車椅子の後輪１１０は回転自由となる。
【００１７】
実施例２を図４、図５及び図６により説明する。
【００１８】
実施例２の車椅子後輪回転停止装置は後輪回転停止装置本体部Ｃ１４０と後輪回転停止装置駆動部Ｄ１５０とより構成されている。
【００１９】
図４は後輪回転停止装置の全体構成図であり、図５はその要部断面拡大図である。
【００２０】
図５により構成を説明する。
【００２１】
図５の後輪回転停止装置本体部Ｃ１４０は、前方にスライドして、後輪のリム６に取り付けられた金具１２によって取り付けられたリング１３の外周面に設けられた穴１３ａに先端部を係止されるスライドピン１４と、前記金具１２と、前記リング１３と、前記スライドピン１４をガイドするブッシュ１５と、同ブッシュ１５の取り付けられたベースブラケット１６と、前記スライドピン１４の後端部に取り付けられ、ケーブル５を連結するブロック１７と、前記スライドピン１４を常時付勢して前記リング１３の穴１３ａに係止状態を保持するバネ部材１８と、前方へのスライド量を制限する止輪１９と、前記スライドピン１４を後方にスライドするケーブル５とより構成されている。
【００２２】
図５の後輪回転停止装置駆動部Ｄ１５０は、体重の押圧を受ける座板２０と、ヒンジ２１と、同ヒンジ２１に取付られ、同ヒンジ２１を回転中心に座板２０の押圧を受けると押し下げられる可動板２２と、前記ヒンジ２１を後端部に取付けてある固定板２３と、同固定板２３は前端部が立ち上がり、さらに上部は水平に曲げられており、この水平部２３ａと前記稼動板２２の前端部２２ａに取付けられ、２２ａを常時付勢して上方に持ち上げる姿勢を保持するバネ部材２４とより構成されている。ケーブル５のガイドチューブ端５ｂは固定板の水平部２３ａに取り付けられ、ケーブル５のエンドブロック５ａは可動板の前端部２２ａに取付けられている。可動板２２の可動の上限は固定板２３のストッパー部２３ｂにより決められている。
【００２３】
図６は車椅子利用者の体重の押圧による動作（後輪回転停止解除）の図である。
【００２４】
図６の後輪回転停止装置駆動部Ｄ１５０において、車椅子利用者の体重の押圧により、座板２０、可動板２２、ケーブルのエンドブロック５ａは押し下げられる。
【００２５】
図６の前記エンドブロック５ａが押し下げられると、後輪回転停止装置本体部Ｃ１４０の中のケーブル５は後方に駆動され、同ケーブル５と連結しているスライドピンピン１４も後方にスライドし、前記リング１３の穴１３ａに係止されているスライドピンの先端部は係止から解除される。後輪の回転は自由となる。
【００２６】
実施例３を図７、図８及び図９により説明する。
【００２７】
実施例３の車椅子後輪回転停止装置は後輪回転停止装置本体部Ｅ１６０と後輪回転停止装置駆動部Ｆ１７０とより構成されている。
【００２８】
図７はブレーキ装置の全体構成図であり、図８はその要部断面拡大図である。
【００２９】
図８により構成を説明する。
【００３０】
図８の後輪回転停止装置本体部Ｅ１６０は、前方にスライドして、後輪のリム６に取り付けられた金具２５によって取り付けられた円板２６に設けられたＶ切り欠き部２６ａに先端部を係止されるスライドフック２７と、前記金具２５と、前記円板２６と、前記スライドフック２７をガイドするスライドガイド２８と、前記スライドフック２７のバネ部材取り付け及びケーブル取り付け用の軸２９と、前記スライドフック２７を常時付勢して前記円板２６に設けられたＶ切り欠き部２６ａに係止状態を保持するバネ部材３０と、前記スライドフックを後方にスライドするケーブル３１とより構成されている。
【００３１】
図８の後輪回転停止装置駆動部Ｆ１７０は、車椅子の座シートとヒンジで連結し、体重の押圧を受ける座板３２と、同座板３２の圧力をへの字の頂点で受け、への字状態から水平に変形するヒンジ板３３，３４と、同ヒンジ板３３，３４のヒンジピン３５と、前記ヒンジ板３３の右端の固定側のヒンジピン３６と、同ヒンジピン３６で連結する固定側ヒンジ板３７と、前記ヒンジピン３６に巻き付き同ヒンジピン３６を回転中心にしてヒンジ板３３を常時付勢して時計方向に回動させる姿勢を保持するバネ部材３８と、前記ヒンジ板３４左端の先端に取付けられたスライドピン３９と、同スライドピンのガイド溝４０ａをもち、前記固定側ヒンジ板３７を取り付けるベース板４０と、前記スライドピン３９と連結した前記ケーブル３１のエンドブロック３１ａとより構成されている。
【００３２】
図９は車椅子利用者の体重の押圧による動作（後輪回転停止解除）の図である。
【００３３】
図９の後輪回転停止装置駆動部Ｆ１７０おいて、車椅子利用者の体重の押圧により、座板３２は押し下げられ、ヒンジピン３５で連結した一対のヒンジ板３３，３４は固定側ヒンジ板３７とのヒンジピン３６に水平位置を固定されたまま、への字状態から水平状、直線状に左側に伸ばされる。水平に伸びたヒンジ板３３，３４の左側先端部にあるスライドピン３９と連結したケーブルのエンドブロック３１ａは左へ移動する。
【００３４】
前記ケーブルのエンドブロック３１ａが左に移動すると、後輪回転停止装置本体部Ｅ１６０の中のケーブル３１は後方に駆動され、同ケーブル３１と連結しているスライドフック２７も後方にスライドし、前記円板２６のＶ切欠部２６ａに係止されているスライドフックの先端部は係止から解除される。後輪の回転は自由となる。
【００３５】
実施例４を図１０、図１１及び図１２により説明する。
【００３６】
実施例４の車椅子後輪回転停止装置は後輪回転停止装置本体部Ｅ１６０と後輪回転停止装置駆動部Ｇ１８０とより構成されている。
【００３７】
図１０は後輪回転停止装置の全体構成図であり、図１１はその要部断面拡大図である。
【００３８】
図１１により構成を説明する。
【００３９】
実施例４の図１１の後輪回転停止装置本体部Ｅ１６０は、実施例３の後輪回転停止装置本体部Ｅ１６０と全く同じである。
図１１の後輪回転停止装置本体部Ｅ１６０は、前方にスライドして、後輪のリム６に取り付けられた金具２５によって取り付けられた円板２６に設けられたＶ切り欠き部２６ａに先端部を係止されるスライドフック２７と、前記金具２５と、前記円板２６と、前記スライドフック２７をガイドするスライドガイド２８と、前記スライドフック２７のバネ部材取り付け及びケーブル取り付け用の軸２９と、前記スライドフック２７を常時付勢して前記円板２６に設けられたＶ切り欠き部２６ａに係止状態を保持するバネ部材３０と、前記スライドフックを後方にスライドするケーブル３１とより構成されている。
【００４０】
実施例４の図１１の後輪回転停止装置駆動部Ｇ１８０は、実施例３の後輪回転停止装置駆動部Ｆ１７０の座板３２を除いた駆動部を天地を逆にし、座板４１の下側に貼り付けた形となる。
図１１の後輪回転停止装置駆動部Ｇ１８０は、車椅子の座シートとヒンジで連結し、体重の押圧を受ける座板４１と、同座板４１の圧力を受けるへの字状態から水平に変形するヒンジ板３３，３４と、同ヒンジ３３，３４のヒンジピン３５と、前記ヒンジ３３の右端の固定側のヒンジピン３６と、同ヒンジピン３６で連結する固定ヒンジ板３７と、前記ヒンジピン３６に巻き付き同ヒンジピン３６を回転中心にしてヒンジ板３３を常時付勢して時計方向に回動させる姿勢を保持するバネ部材３８と、前記ヒンジ板３４の左端の先端に取付けられたスライドピン３９と、同スライドピンのガイド溝４２ａをもち、前記固定ヒンジ板３７を取り付け、座板４１の裏側に張り付いているベース板４２と、前記ヒンジ板３３，３４のへの字状の頂点を受ける車椅子の座シートの上に置かれた平板４３と、前記ピン３９と連結した前記ケーブル３１のエンドブロック３１ａとより構成されている。
【００４１】
図１２は車椅子利用者の体重の押圧による動作（後輪回転停止解除）の図である。
【００４２】
図１２の後輪回転停止装置駆動部Ｇ１８０おいて、車椅子利用者の体重の押圧により、座板４１は押し下げられ、ヒンジピン３５で連結した一対のヒンジ板３３，３４は固定ヒンジ３７板とのヒンジピン３６に連結位置を固定されたまま、への字状態から水平状態の直線状に伸ばされる。水平に伸びたヒンジ板３３，３４の左側先端部にあるピン３９と連結したケーブルのエンドブロック３１ａは左へ移動する。
【００４３】
前記ケーブルのエンドブロック３１ａが左に移動すると、後輪回転停止装置本体部Ｅ１６０の中のケーブル３１は後方に駆動され、同ケーブル３１と連結しているスライドフック２７も後方にスライドし、前記円板２６のＶ切欠部２６ａに係止されているスライドフックの先端部は係止から解除される。後輪の回転は自由となる。
【００４４】
実施例５を図１３、図１４及び図１５により説明する。
【００４５】
実施例５の車椅子後輪回転停止装置は後輪回転停止装置本体部Ｈ１９０と後輪回転停止装置駆動部Ｉ２００とより構成されている。
【００４６】
図１３は後輪回転停止装置の全体構成図であり、図１４はその要部断面拡大図である。
【００４７】
図１４により構成を説明する
【００４８】
図１４の後輪回転停止装置本体部Ｈ１９０は、中心軸４５を中心に前方に回動して後輪のリム６に取り付けられた金具２５によって取り付けられた円板４４に設けられた穴４４ａに左側の先端の爪４７ａを係止されるフック４７と、前記中心軸４５と、前記金具２５と、前記円板４４と、前記フック４７を常時付勢して前記穴４４ａに前記爪４７ａの係止状態を保持するバネ部材４９と、前記フック４７の下側の先端部に取付られ、ケーブル５と連結する中心軸４８と、前記フック４７または前記軸４８に取付けられ、これを後方に回動して、前記穴４４ａに係止されている前記爪４７ａの係止を解除するケーブル５とより構成されている。
【００４９】
後輪回転停止装置駆動部Ｉ２００は、体重の押圧を受ける座板５０と、常時付勢して座板５０を上方に持ち上げる姿勢を保持するバネ部材５１と、前記座板５０によって上下に駆動する軸５２と、同軸５２の先端に取り付けられている連結ブロック１１と、同連結ブロック１１に連結する前記ケーブル５のエンドブロック５ａとより構成されている。  
【００５０】
図１５は車椅子利用者の体重の押圧による動作（後輪回転停止解除）の図である。
【００５１】
図１５の後輪回転停止装置駆動部Ｉ２００おいて、車椅子利用者の体重の押圧により、座板５０、バネ部材５１及び軸５２は押し下げられ、同軸５２の先に固定されてある連結ブロック１１よって、前記エンドブロック５ａは下方に押し下げられる。
【００５２】
前記エンドブロック５ａが押し下げられると、後輪回転停止装置本体部Ｈ１９０の中の駆動ケーブル５は後方に駆動され、同ケーブル５と軸４８により連結しているフック４７は中心軸４５を中心に後方に回動し、前記穴４４ａに係止されている前記爪４７ａの係止を解除する。車椅子の後輪１１０は回転自由となる。
【図面の簡単な説明】
【００５３】
【図１】実施例１の車椅子後輪回転停止装置の全体構成図
【図２】図１の後輪回転停止装置の要部断面拡大図
【図３】実施例１の後輪回転停止装置の動作図
【図４】実施例２の車椅子後輪回転停止装置の全体構成図
【図５】図４の後輪回転停止装置の要部断面拡大図
【図６】実施例２の後輪回転停止装置の動作図
【図７】実施例３の車椅子後輪回転停止装置の全体構成図
【図８】図７の後輪回転停止装置の要部断面拡大図
【図９】実施例３の後輪回転停止装置の動作図
【図１０】実施例４の車椅子後輪回転停止装置の全体構成図
【図１１】図１０の後輪回転停止装置の要部断面拡大図
【図１２】実施例４の後輪回転停止装置の動作図
【図１３】実施例５の車椅子後輪回転停止装置の全体構成図
【図１４】図１３の後輪回転停止装置の要部断面拡大図
【図１５】実施例５の後輪回転停止装置の動作図
【符号の説明】
【００５４】
１            中心軸
２            フック
２ａ          前側先端部
２ｂ          後側先端部
３            バネ部材
４            中心軸
５            ケーブル
５ａ          エンドブロック
５ｂ          ガイドチューブ端
６            リム
７            スポーク
８            座板
９            バネ部材
１０          軸
１１          連結ブロック
１２          金具
１３          リング
１３ａ        穴
１４          スライドピン
１５          ブッシュ
１６          ベースブラケット
１７          ブロック
１８          バネ部材
１９          止輪
２０          座板
２１          ヒンジ
２２          可動板
２３          固定板
２３ａ        水平部
２３ｂ        ストッパー部
２４          バネ部材
２５          金具
２６          円板
２６ａ        Ｖ切り欠き部
２７          スライドフック
２８          スライドガイド
２９          軸
３０          バネ部材
３１          ケーブル
３１ａ        エンドブロック
３２          座板
３３          ヒンジ板
３４          ヒンジ板
３５          ヒンジピン
３６          ヒンジピン
３７          固定側ヒンジ板
３８          バネ部材
３９          スライドピン
４０          ベース板
４１          座板
４２          ベース板
４２ａ        ガイド溝
４３          平板
４４          円板
４４ａ        穴
４５          中心軸
４６          ベース板
４７          フック
４７ａ        爪
４８          軸
４９          バネ部材
５０          座板
５１          バネ部材
５２          軸
１００        車椅子
１１０        後輪
１２０        後輪回転停止装置本体部Ａ
１３０        後輪回転停止装置駆動部Ｂ
１４０        後輪回転停止装置本体部Ｃ
１５０        後輪回転停止装置駆動部Ｄ
１６０        後輪回転停止装置本体部Ｅ
１７０        後輪回転停止装置駆動部Ｆ
１８０        後輪回転停止装置本体部Ｇ
１９０        後輪回転停止装置駆動部Ｈ
２００        後輪回転停止装置本体部Ｉ
【図１】
2012034764.tif 000003
【図２】
2012034764.tif 000004
【図３】
2012034764.tif 000005
【図４】
2012034764.tif 000006
【図５】
2012034764.tif 000007
【図６】
2012034764.tif 000008
【図７】
2012034764.tif 000009
【図８】
2012034764.tif 000010
【図９】
2012034764.tif 000011
【図１０】
2012034764.tif 000012
【図１１】
2012034764.tif 000013
【図１２】
2012034764.tif 000014
【図１３】
2012034764.tif 000015
【図１４】
2012034764.tif 000016
【図１５】
2012034764.tif 000017